(57)【特許請求の範囲】
【請求項１】
建造物内の一方空間と他方空間とを仕切る壁を有し、この壁には枠部を介して前記一方空間と前記他方空間とを連絡する開口部が形成されており、前記枠部のうちドア本体回転支持用の縦枠には上下方向に伸延する戸当りが前記他方空間に突出するように形成されており、閉状態時に前記縦枠の内側面と対向する側端部を有するドア本体を備えており、このドア本体の側端部は、閉状態時に前記一方空間と面する一方角部と前記他方空間に面する他方角部とを有しており、当該ドア本体はその側端部よりも内側の回転中心線を中心として一方角部が前記縦枠の内側面に近づく方向に９０°〜１１０°回転可能かつ戻し回転可能とされたドア構造において、
前記建造物に、一対の固定突出部材が前記ドア本体の回転中心線に対応する上下端部位置に対向するように固設されるとともに、当該ドア本体の上下端部位置には、一対のトライアル係合部材がそれぞれのガイド溝が対応する前記各固定突出部材と接触するように設けられており、
前記各固定突出部材は、それぞれ一定の幅および長さを有しており、かつ、平面視で閉状態の前記ドア本体の幅方向中央線を所定の傾斜角度で横切るとともに長さ方向の両端部には半円弧形状の一方端部と他方端部とが形成されており、
前記トライアル係合部材は、平面視略正三角形状のガイド溝を有しており、その３つの角部のうちの１つであり前記一方空間寄りの一方角部が前記ドア本体の幅方向中央線に対して当該ドア本体の一方角部と同一側となる位置に形成されており、当該一方角部には、前記固定側突出部の一方端部と摺接しながら相対回転する円弧形状に凹んだ第１の回転支持凹部が形成され、他の２つの角部である各他方角部は前記幅方向中央線に対して前記一方角部とは反対側になるように配設されており、当該各他方角部のうち当該ドア本体の他方角部に近い方の内方他方角部には、前記固定側突出部の他方端部と摺接しながら相対回転する円弧形状に凹んだ第２の回転支持凹部が形成されており、当該内方他方角部ともう１つの他方角部である外方他方角部との間には、前記トライアル係合部材の第１の回転支持凹部が前記固定突出部材の一方端部と摺接しながら相対回転する場合の当該固定突出部材の長さ相当の半径を有する円弧形状の第１大曲率ガイド面が形成されるとともに、当該外方他方角部と前記一方角部との間には、前記トライアル係合部材の第２の回転支持凹部が前記固定突出部材の他方端部と摺接しながら相対回転する場合の当該固定突出部材の長さ相当の半径を有する円弧形状の第２大曲率ガイド面が形成されており、前記第１の回転支持凹部と第２の回転支持凹部との間には、前記固定突出部材の側面に向けて出っ張って当該側面と転がり接触する回転中心移行ガイド面が形成されたことを特徴とするドア構造。
【請求項２】
建造物内の一方空間と他方空間とを仕切る壁を有し、この壁には前記一方空間と前記他方空間とを連絡する開口部が形成されており、閉状態時に前記壁の開口部の内側面と対向する側端部を有するドア本体を備えており、このドア本体の側端部は、閉状態時に前記一方空間と面する一方角部と前記他方空間に面する他方角部とを有しており、当該ドア本体はその側端部よりも内側の回転中心線を中心として他方角部が前記縦枠の内側面に近づく方向に９０°回転する閉方向回転可能かつ戻し回転可能とされたドア構造において、
前記建造物に、一対の固定突出部材が前記ドア本体の回転中心線に対応する上下端部位置に対向するように固設されるとともに、当該ドア本体の上下端部位置には、一対のトライアル係合部材がそれぞれのガイド溝が対応する前記各固定突出部材と接触するように設けられており、
前記各固定突出部材は、それぞれ一定の幅および長さを有しており、かつ、平面視で閉状態の前記ドア本体の幅方向中央線を所定の傾斜角度で横切るとともに長さ方向の両端部には半円弧形状の一方端部と他方端部とが形成されており、
前記トライアル係合部材は、平面視略正三角形状のガイド溝を有しており、その３つの角部のうちの１つであり前記一方空間寄りの一方角部が前記ドア本体の幅方向中央線に対して当該ドア本体の一方角部と同一側となる位置に形成されており、当該一方角部には、前記固定側突出部の一方端部と摺接しながら相対回転する円弧形状に凹んだ第１の回転支持凹部が形成され、他の２つの角部である各他方角部は前記幅方向中央線に対して前記一方角部とは反対側になるように配設されており、当該各他方角部のうち当該ドア本体の他方角部に近い方の内方他方角部には、前記固定側突出部の他方端部と摺接しながら相対回転する円弧形状に凹んだ第２の回転支持凹部が形成されており、当該内方他方角部ともう１つの他方角部である外方他方角部との間には、前記トライアル係合部材の第１の回転支持凹部が前記固定突出部材の一方端部と摺接しながら相対回転する場合の当該固定突出部材の長さ相当の半径を有する円弧形状の第１大曲率ガイド面が形成されるとともに、当該外方他方角部と前記一方角部との間には、前記トライアル係合部材の第２の回転支持凹部が前記固定突出部材の他方端部と摺接しながら相対回転する場合の当該固定突出部材の長さ相当の半径を有する円弧形状の第２大曲率ガイド面が形成されており、前記第１の回転支持凹部と第２の回転支持凹部との間には、前記固定突出部材の側面に向けて出っ張って当該側面と転がり接触する回転中心移行ガイド面が形成されたことを特徴とするドア構造。
【請求項３】
中空円筒状で基端面から自由端面までの全長が前記固定突出部材よりも短くて当該基端面が前記建造物に固定されるとともに対応する前記固定突出部材の根元部分と接触して被嵌する各補強部材を備え、前記各トライアル係合部材の端面がそれぞれ対応する前記各補強部材の自由端面と摺接するように形成されたことを特徴とする請求項１又は２記載のドア構造。
【請求項４】
前記各補強部材の自由端面が、その外周面に沿って螺旋状の傾斜面とされるとともに、前記各トライアル係合部材の端面が当該各補強部材の自由端面に対応した螺旋状傾斜面とされたことを特徴とする請求項３記載のドア構造。
【請求項５】
前記一対の固定突出部材のうちの上側の固定突出部材の下側の固定突出部材に対する水
平方向の位置を調節可能な位置調節手段を設けたことを特徴とする請求項１〜４のうちのいずれか１項のドア構造。
【発明の詳細な説明】
【技術分野】
【０００１】
本発明は、ドア本体が回転中心線を中心として９０°〜１１０°回転可能なドア構造に関する。
【背景技術】
【０００２】
例えば、建造物の各部屋の出入口にはドアが設けられることが多い。一般のドア構造を図３１に示す。
【０００３】
図３１において、２は、建造物に固定されかつ開口部を有する壁である。この壁２の開口部３には、ドア本体７１が９０°の範囲で回転自在に設けられている。なお、図３１実線で示すドア本体７１は、閉じられている状態を示す。このドア本体７１は、図３２に示すように、閉状態時に壁２の開口部３の内側面４と対向する側端部７２を有しており、当該ドア本体７１はその側端部７２よりも内側に設けられたヒンジ金具７５（回転中心線Ｙ）を中心として９０°回転可能とされている。ドア本体７１と壁２の内側面４との間には、ある程度の隙間が設けられている。これは、隙間がないと、ドア本体７１の回転時に側端部７２の角部が壁２の内側面４と当ってしまう、それ以上回転できなくなるからである。
【０００４】
ここで、図３２想像線で示すように、ドア本体７１が９０°回転した状態で、当該ドア本体７１と壁２の内側面４との隙間（Ｇ）が大きすぎると、当該隙間（Ｇ）に人の指が何らかの原因で入ってしまうことがある。その状態で、ドア本体７１が閉じられると、人の指がドア本体７１と壁２の内側面４との間に挟まれて怪我する事故が起こることがある。
【０００５】
そこで、かかる事故が起こらないように、豆２６に示すように、ドア本体７１の側端部７２と壁２の内側面４との間の距離Ｌ０を縮めることが考えられる。しかし、これでは、同図想像線で示すように、ドア本体７１の側端部７２の角部が回転時に壁２の内側面４と干渉してしまい回転続行不可能となってしまう。
【０００６】
そこで、ドア本体７１の円滑な回転を確保しつつ指詰め事故が起こらないようにする方策として、ある程度の隙間（Ｇ）を設けるとともに当該隙間（Ｇ）部分を外から覆うカバー（図示省略）を設けることが提案されている（例えば、特許文献１参照）。
【特許文献１】特開２００３−１８４４２０号公報
【発明の開示】
【発明が解決しようとする課題】
【０００７】
ところで、特許文献１に係る発明の場合、いかにカバーの意匠を工夫してみても見栄えが悪くなりがちである。最近では、ドアはインテリアの中でも重要な構成要素となっており、外観の美観性の観点から重大な問題である。
【０００８】
本発明の目的は、上記事情に鑑み、外観の美観性を満たしつつ、そしてドア本体の円滑な９０°回転を確保しつつ指詰め防止を図ることができるドア構造を提供することにある。
【課題を解決するための手段】
【０００９】
請求項１の発明は、建造物内の一方空間と他方空間とを仕切る壁を有し、この壁には枠部を介して前記一方空間と前記他方空間とを連絡する開口部が形成されており、前記枠部のうちドア本体回転支持用の縦枠には上下方向に伸延する戸当りが前記他方空間に突出するように形成されており、閉状態時に前記縦枠の内側面と対向する側端部を有するドア本体を備えており、このドア本体の側端部は、閉状態時に前記一方空間と面する一方角部と前記他方空間に面する他方角部とを有しており、当該ドア本体はその側端部よりも内側の回転中心線を中心として一方角部が前記縦枠の内側面に近づく方向に９０°〜１１０°回転可能かつ戻し回転可能とされたドア構造において、前記建造物に、一対の固定突出部材が前記ドア本体の回転中心線に対応する上下端部位置に対向するように固設されるとともに、当該ドア本体の上下端部位置には、一対のトライアル係合部材がそれぞれのガイド溝が対応する前記各固定突出部材と接触するように設けられており、前記各固定突出部材は、それぞれ一定の幅および長さを有しており、かつ、平面視で閉状態の前記ドア本体の幅方向中央線を所定の傾斜角度で横切るとともに長さ方向の両端部には半円弧形状の一方端部と他方端部とが形成されており、前記トライアル係合部材は、平面視略正三角形状のガイド溝を有しており、その３つの角部のうちの１つであり前記一方空間寄りの一方角部が前記ドア本体の幅方向中央線に対して当該ドア本体の一方角部と同一側となる位置に形成されており、当該一方角部には、前記固定側突出部の一方端部と摺接しながら相対回転する円弧形状に凹んだ第１の回転支持凹部が形成され、他の２つの角部である各他方角部は前記幅方向中央線に対して前記一方角部とは反対側になるように配設されており、当該各他方角部のうち当該ドア本体の他方角部に近い方の内方他方角部には、前記固定側突出部の他方端部と摺接しながら相対回転する円弧形状に凹んだ第２の回転支持凹部が形成されており、当該内方他方角部ともう１つの他方角部である外方他方角部との間には、前記トライアル係合部材の第１の回転支持凹部が前記固定突出部材の一方端部と摺接しながら相対回転する場合の当該固定突出部材の長さ相当の半径を有する円弧形状の第１大曲率ガイド面が形成されるとともに、当該外方他方角部と前記一方角部との間には、前記トライアル係合部材の第２の回転支持凹部が前記固定突出部材の他方端部と摺接しながら相対回転する場合の当該固定突出部材の長さ相当の半径を有する円弧形状の第２大曲率ガイド面が形成されており、前記第１の回転支持凹部と第２の回転支持凹部との間には、前記固定突出部材の側面に向けて出っ張って当該側面と転がり接触する回転中心移行ガイド面が形成されたことを特徴とするものである。
【００１０】
上記請求項１の発明では、ドア本体１０を閉状態から９０°〜１１０°回転させる場合、回転開始から初期のうち（少なくともドア本体の側端部の一方角部が縦枠の内側面に接近する間）は、ドア本体側のトライアル係合部材のガイド溝の第１の回転支持凹部と固定突出部材の一方端部とが摺接して相対回転する。すなわち、トライアル係合部材（したがって、ドア本体）は、固体突出部の一方端部の中心を回転中心線として回転する。
【００１１】
この際、固定突出部材の他方端部がトライアル係合部材のガイド溝の第１の大曲率ガイド面とすべり接触するので、当該トライアル係合部材が固定突出部材の長さ方向へ変位することは規制される。そのため、ドア本体が回転中にがたつくようなことはない。ここで、ドア本体が回転中にがたつかないので、円滑な回転が確保されるとともに、ドア本体の側端部と縦枠の内側面（戸当りも含む）との間に大きな隙間ができないことになる。
【００１２】
このようにして、ドア本体は、回転初期のうちは固体突出部の一方端部の中心を回転中心線として回転することになるが、この際当該回転中心線はドア本体幅方向中央線に対してドア本体の側端部の一方角部と同一側になるような位置にある。そのため、ドア本体の回転に伴う一方角部の軌跡は、回転中心が上記幅方向中央線上に固定された従来例よりは小さい円弧状となり、縦枠の内側面との隙間が狭くても干渉しない。また、ドア本体の側端部の他方角部は回転中心線の反0対側にあり、ドア本体の回転に伴い縦枠５の内側面から離れる方向に回転する。また、戸当りは、ドア本体の側端部の回転軌跡とは触れない範囲で当該軌跡に近い位置に設けることができる。したがって、ドア本体の側端部の他方角部は、縦枠および戸当りとは干渉することはなく、当該ドア本体の側端部と戸当りとの間の隙間を人の指が入らないほどに小さくできる。
【００１３】
さらに、ドア本体を回転させると、トライアル係合部材のガイド溝の回転中心移行ガイド面と固体側突出部材の側面とが転がり接触するようになり、当該トライアル係合部材（したがってドア本体）の回転中心線は、第１の回転支持凹部から回転中心移行ガイド面に沿って第２の回転支持凹部へ滑らかに移ってゆく。この際、固定突出部材の一方端部はトライアル係合部材のガイド溝の第２の大曲率ガイド面とすべり接触するとともに、その他方端部はガイド溝の第１の大曲率ガイド面とすべり接触するので、当該トライアル係合部材は固定突出部材の長さ方向への変位を規制される。そのため、トライアル係合部材のガイド溝の回転中心移行ガイド面と固体側突出部の側面との転がり接触は順調に行われることになり、ドア本体の回転中心線の移行は円滑に行われる。そのため、ドア本体は、がたつくことはない。なお、この際、ドア本体の側端部と戸当りとの間の隙間に人の指が入るようなことがあったとしても、回転するドア本体の側端部によって外に押し出されるので指詰め事故は起こらない。
【００１４】
そして、ドア本体を更に回転させると、トライアル係合部材のガイド溝の第２の回転支持凹部が固体突出部材の他方端部と摺接して相対回転するようになり、当該トライアル係合部材（したがってドア本体）は固体突出部材の他方端部の中心を回転中心線として回転するようになる。この際、固定突出部材の一方端部がトライアル係合部材のガイド溝の第２の大曲率ガイド面とすべり接触するので、当該トライアル係合部材は固定突出部材の長さ方向への変位は規制されることになり、ドア本体はがたつかない。ここで、上記回転中心線は幅方向中央線に対して当該ドア本体の側端部の一方角部と反対側になるような位置にあることになる。
【００１５】
そのため、閉状態から９０°〜１１０°回転されたドア本体は、回転中心線が幅方向中央線に対してドア本体の一方角部と同一側にあった閉状態よりも縦枠の内側面へ寄っていることになる。そのため、ドア本体の側端部の一方角部と戸当りとの隙間を小さくすることができる。なお、ドア本体の戻し回転（開位置から閉鎖状態位置への回転）するときに上記隙間に人の指が入ったとしても、当該ドア本体の側面によって外方に押出されるので指詰め事故は起こらない。
【００１６】
請求項２の発明は、建造物内の一方空間と他方空間とを仕切る壁を有し、この壁には前記一方空間と前記他方空間とを連絡する開口部が形成されており、閉状態時に前記壁の開口部の内側面と対向する側端部を有するドア本体を備えており、このドア本体の側端部は、閉状態時に前記一方空間と面する一方角部と前記他方空間に面する他方角部とを有しており、当該ドア本体はその側端部よりも内側の回転中心線を中心として他方角部が前記縦枠の内側面に近づく方向に９０°回転する閉方向回転可能かつ戻し回転可能とされたドア構造において、前記建造物に、一対の固定突出部材が前記ドア本体の回転中心線に対応する上下端部位置に対向するように固設されるとともに、当該ドア本体の上下端部位置には、一対のトライアル係合部材がそれぞれのガイド溝が対応する前記各固定突出部材と接触するように設けられており、前記各固定突出部材は、それぞれ一定の幅および長さを有しており、かつ、平面視で閉状態の前記ドア本体の幅方向中央線を所定の傾斜角度で横切るとともに長さ方向の両端部には半円弧形状の一方端部と他方端部とが形成されており、前記トライアル係合部材は、平面視略正三角形状のガイド溝を有しており、その３つの角部のうちの１つであり前記一方空間寄りの一方角部が前記ドア本体の幅方向中央線に対して当該ドア本体の一方角部と同一側となる位置に形成されており、当該一方角部には、前記固定側突出部の一方端部と摺接しながら相対回転する円弧形状に凹んだ第１の回転支持凹部が形成され、他の２つの角部である各他方角部は前記幅方向中央線に対して前記一方角部とは反対側になるように配設されており、当該各他方角部のうち当該ドア本体の他方角部に近い方の内方他方角部には、前記固定側突出部の他方端部と摺接しながら相対回転する円弧形状に凹んだ第２の回転支持凹部が形成されており、当該内方他方角部ともう１つの他方角部である外方他方角部との間には、前記トライアル係合部材の第１の回転支持凹部が前記固定突出部材の一方端部と摺接しながら相対回転する場合の当該固定突出部材の長さ相当の半径を有する円弧形状の第１大曲率ガイド面が形成されるとともに、当該外方他方角部と前記一方角部との間には、前記トライアル係合部材の第２の回転支持凹部が前記固定突出部材の他方端部と摺接しながら相対回転する場合の当該固定突出部材の長さ相当の半径を有する円弧形状の第２大曲率ガイド面が形成されており、前記第１の回転支持凹部と第２の回転支持凹部との間には、前記固定突出部材の側面に向けて出っ張って当該側面と転がり接触する回転中心移行ガイド面が形成されたことを特徴とするものである。
【００１７】
上記請求項２の発明の場合、ドア本体を開位置から９０°回転させて閉状態位置まで変位させるには、回転させ始めはトライアル係合部材のガイド溝の第２の回転支持凹部が固体突出部の他方端部と摺接して相対回転する。すなわち、トライアル係合部材（したがってドア本体）は固体突出部の他方端部の中心を回転中心線として回転する。この際、固定突出部材の一方端部はトライアル係合部材のガイド溝の第２の大曲率ガイド面とすべり接触するので、当該トライアル係合部材は固定突出部材の長さ方向への変位は規制されることになり、ドア本体はがたつかない。
【００１８】
ここで、上記回転中心線は幅方向中央線に対して当該ドア本体の側端部の一方角部と反対側になるような位置にあることになる。そのため、ドア本体は、回転中心線が幅方向中央線に対してドア本体の一方角部と同一側にあった閉状態よりも壁の開口部の内側面へ寄っていることになる。そのため、ドア本体１と壁の開口部の内側面との隙間を小さくできる。また、ドア本体の回転中に、当該ドア本体の側面と壁の開口部の内側面との間の隙間に人の指が入ったとしても、当該ドア本体の側面によって外方に押出されるので指詰め事故は起こらない。
【００１９】
さらに、ドア本体を回転させると、トライアル係合部材のガイド溝の回転中心移行ガイド面と固体側突出部材の側面とが転がり接触するようになり、当該トライアル係合部材（したがってドア本体）の回転中心線は、第２の回転支持凹部から回転中心移行ガイド面に沿って第１の回転支持凹部へ滑らかに移ってゆく。この際、固定突出部材の一方端部はトライアル係合部材のガイド溝の第２の大曲率ガイド面とすべり接触するとともに、その他方端部はガイド溝の第１の大曲率ガイド面とすべり接触するので、当該トライアル係合部材は固定突出部材の長さ方向への変位を規制される。そのため、トライアル係合部材のガイド溝の回転中心移行ガイド面と固体側突出部材の側面との転がり接触は順調に行われることになり、ドア本体の回転中心線の移行は円滑に行われる。そのため、ドア本体は、がたつくことはない。なお、この際、ドア本体の側端部の一方角部と壁の開口部の内側面との間に人の指が入るようなことがあったとしても、回転する当該ドア本体によって外に押し出されるので指詰め事故は起こらない。
【００２０】
請求項３の発明は、中空円筒状で基端面から自由端面までの全長が前記固定突出部材よりも短くて当該基端面が前記建造物に固定されるとともに対応する前記固定突出部材の根元部分と接触して被嵌する各補強部材を備え、前記各トライアル係合部材の端面がそれぞれ対応する前記各補強部材の自由端面と摺接するように形成されたことを特徴とする請求項１又は２記載のドア構造である。
【００２１】
上記請求項３の発明の場合、請求項１又は２記載の発明と同様の作用を奏する他、ドア本体が回転する際（すなわち、各トライアル係合部材のガイド溝と各固定側突出部材とが摺動する際）、当該各固定側突出部材にはドア本体の自重等によって各種荷重（ねじり荷重、曲げ荷重、垂直荷重）が作用する。ここで、各固定側突出部材は、その根元部分を補強部材によってしっかりと保持されているので、過大なねじり荷重・曲げ荷重が作用しても十分に抵抗して塑性変形や破断等が起こさない。また、垂直荷重に対しては、各補強部材の自由端面と当該面に接触している各トライアル係合部材の端面とが協働して抵抗する。このように、各固定側突出部材の強度が補強部材によって増大されるので、一段とドア構造の信頼性を高めることができる。また、ドア本体回転時に、各補強部材の自由端面と各トライアル係合部材の端面とが摺接するので、回転軸線が鉛直方向からずれるのを効果的に抑えることができる。したがって、一段と円滑にドア本体を回転させることができる。
【００２２】
請求項４の発明は、前記各補強部材の自由端面が、その外周面に沿って螺旋状の傾斜面とされるとともに、前記各トライアル係合部材の端面が当該各補強部材の自由端面に対応した螺旋状傾斜面とされたことを特徴とする請求項３記載のドア構造である。
【００２３】
上記請求項４の発明の場合、請求項３記載の発明と同様の作用を奏する他、ドア本体の自重が各トライアル係合部材に作用すると、当該各トライアル係合部材は各補強部材の自由端面に沿って摺動してドア本体ごと下方へ変位する。これにより、例えばドア本体を閉方向へ回動操作した後に当該操作を止めてドア本体から手を離すと、人が操作することなく自動的にドア本体は開き位置まで開方向へ回転する。
【００２４】
請求項５の発明は、前記一対の固定突出部材のうちの上側の固定突出部材の下側の固定突出部材に対する水平方向の位置を調節可能な位置調節手段を設けたことを特徴とする請求項１〜５のうちのいずれか１項のドア構造である。
【００２５】
上記構成の請求項５の発明の場合、請求項１〜５のうちのいずれか１項記載の発明と同様の作用を奏する他、経年変化等によってドア本体の回転中心線が鉛直線方向からずれてしまって例えば当該ドア本体の下端部が床面がするなどして回転させずらくなった場合でも、回転中心線の方向を調節して上記不具合を解消することができる。
【発明の効果】
【００２６】
請求項１の発明によれば、回転突出部材およびトライアル係合部材はドア本体に比べれば小さくしかも目立たない箇所に設けられるので、外観の美観性を満たすことができる。また、両者は協働してドア本体の回転中心線を変えて当該ドア本体と戸当り付きの縦枠との間の隙間を小さくしつつ円滑な回転を約束する。したがって、外観の美観性を満たしつつ、そしてドア本体の円滑な９０°回転を確保しつつ指詰め防止を図ることができる。
【００２７】
請求項２の発明によれば、請求項１の発明と同様な効果を奏する他、ドア本体を非常時には１８０°回転させることができる。
【００２８】
請求項３の発明によれば、請求項１又は２記載の発明と同様の効果を奏する他、各固定側突出部材の強度が補強部材によって増大されるので、一段とドア構造の信頼性を高めることができる。また、ドア本体回転時に、その回転軸線が鉛直方向からずれるのを効果的に抑えることができ、一段と円滑にドア本体を回転させることができる。
【００２９】
請求項４の発明によれば、請求項３記載の発明と同様の作用を奏する他、ドア本体を例えば閉方向へ回動操作した後に当該操作を止めてドア本体から手を離すと、自動的にドア本体は開き位置まで開方向へ回転する。
【００３０】
請求項５の発明によれば、上側の固定突出部材の水平方向の位置を調節可能な位置調節手段を設けたので、請求項１〜５のうちのいずれか１項記載の発明と同様の効果を奏する他、経年変化等によってドア本体の回転中心線が鉛直線方向からずれてしまい、例えば当該ドア本体の下端部が床面がするなどして回転させずらくなった場合でも、回転中心線の方向を簡単に調節して上記不具合を解消することができる。
【発明を実施するための最良の形態】
【００３１】
以下、本発明の実施の形態を図面を参照しながら説明する。
【００３２】
（第１の実施形態）
【００３３】
本発明に係るドア構造は、図６および図７に示すように、建造物内の壁２に枠部４を介して形成された開口部に９０から１１０°回転可能にドア本体１０が設けられたドア構造であって、一対の固定突出部材２０と一対のトライアル係合部材３０とを備え、当該ドア本体１０の回転中心線（Ｙ１等）を滑らかに変位させることによって円滑な回転を図りつつ壁２側とドア本体１０との隙間を小さくして指詰め防止達成しようとするものである。
【００３４】
壁２は、図６および図７に示すように、建造物（例えば、一般住宅やオフィスビルなど）内の一方空間Ｓ１と他方空間Ｓ２とを仕切るものである。この壁２には、枠部４を介して一方空間Ｓ１と他方空間Ｓ２とを連絡する開口部が形成されている。なお、枠部４は、ドア本体１０を９０°〜１１０°回転可能に支持するドア本体回転支持用の縦枠５と、この縦枠５に対向して立設された縦枠５ａと、上下方向に対向して配設された一対の横枠８とから形成されている。縦枠５には、図７に示すように、戸当り７が上下方向に伸延しかつ他方空間Ｓ２に突出するように取り付けられている。なお、戸当り７は、ドア本体１０の側端部１１の回転軌跡とは触れない範囲で当該軌跡に近い位置に設けられている。
【００３５】
ドア本体１０は、壁２の開口部を開閉するための部材である。ドア本体１０は、一対の固定突出部材（２０Ｕ，２０Ｄ）と一対のトライアル係合部材（３０Ｕ，３０Ｄ）との協働によって、その側端部１１よりも内側の回転中心線（Ｙ１等）を中心として９０°回転可能に構成されている。
【００３６】
このドア本体１０を図７実線で示す閉状態から９０°〜１１０°回転させて同図想像線で示す開位置まで変位させれば壁２の開口部は開いて一方空間Ｓ１と他方空間Ｓ２とは連通する。また、ドア本体１０を開位置から閉状態位置まで回転（すなわち、戻し回転）すれば、壁２の開口部３は閉じて一方空間Ｓ１と他方空間Ｓ２とは遮断される。
【００３７】
このドア本体１０は、図７実線で示す閉状態時に、その側端部１１が縦枠５の内側面６と対向する。このドア本体１０の側端部１１は、図１に示すように、閉状態時に一方空間Ｓ１と面する一方角部１３と他方空間Ｓ２に面する他方角部１２とを有している。ドア本体１０を、図７実線で示す閉状態位置から同図想像線で示す開位置まで９０°回転させ始めると、その側端部１１の一方角部１３は縦枠５の内側面６に近づき、その後に最接近した位置からしだいに離れる。この際、ドア本体１０の他方角部１２は、回転の始めから縦枠５の内側面６から離れる。
【００３８】
次に、本ドア構造の特徴部である固定突出部材（２０Ｕ，２０Ｄ）は、図６に示すように、ドア本体１０の回転中心線（Ｙ１等）に対応する上下端部位置に対向するように建造物（縦枠５）に固設されている。また、本ドア構造の特徴部の一つであるトライアル係合部材（３０Ｕ，３０Ｄ）は、ドア本体１０の上記した上下端部（上側端部１５，下側端部１６）位置に固設されている。各トライアル係合部材（３０Ｕ，３０Ｄ）は、それぞれガイド溝３１を有しており、当該各ガイド溝３１には対応する固定係合部材（２０Ｕ，２０Ｄ）が接触して、ドア本体１０を９０°回転する際にはその回転中心線（Ｙ１等）を変位させる役目を果たす。
【００３９】
詳しくは、上方の固定突出部材２０Ｕは、図６および図１１に示すように、ドア本体１０の回転中心線（Ｙ１等）に対応する上側端部１５位置に対向するように縦枠５の内側面６に取付部材２９等を介して固定されている。また、下方の固定突出部材２０Ｄは、図８に示すように、ドア本体１０の回転中心線（Ｙ１等）に対応する下側端部１６位置に対向するように取付部材２９等を介して縦枠５の内側面６に固定されている。
【００４０】
各固定突出部材（２０Ｄ，２０Ｕ）は、図１０に示すように、それぞれ一定の幅（ｗ３）および長さ（Ｌ３）を有しており、長さ方向の両端部には半円形状（半径a）の一方端部２１と他方端部２２とが形成されている。なお、各固定突出部材（２０Ｄ，２０Ｕ）は、所定の厚みｔ3を有する。なお、図１０において、２６は固定突出部材２０（２０Ｄ，２０Ｕ）の側面、２５は天地面で水平面とされている。
【００４１】
上記各両固定突出部材（２０Ｄ，２０Ｕ）は、対応するドア本体１０の上下端部（上側端部１５，下側端部１６）へ向けて突出しており、図８および図１１に示すように、縦枠５の内側面６と直角の方向に対して所定角度α（例えば６７°）だけ傾くように設けられている。各固定突出部材（２０Ｄ，２０Ｕ）は鏡像関係にあり、真上から見た形状は同一である。
【００４２】
一対のトライアル係合部材（３０Ｄ，３０Ｕ）は、図９および図１２に示すように、それぞれガイド溝３１を有している。そして、各トライアル係合部材（３０Ｄ，３０Ｕ）は、それぞれのガイド溝３１が対応する各固定突出部材（２０Ｄ，２０Ｕ）と接触するようにドア本体１０の回転中心線（Ｙ１等）に対応する上下端部（１５，１６）位置に設けられている。すなわち、下のトライアル係合部材３０Ｄは、図９に示すように、そのガイド溝３１が下側を向くようにドア本体１０の回転中心線（Ｙ１等）に対応する下端部位置１６に取付部材４１を介して固定されている。また、上のトライアル係合部材３０Ｕは、図１２に示すように、そのガイド溝３１が上側を向くようにドア本体１０の回転中心線（Ｙ１等）に対応する上端部１５位置に取付部材４１を介して固定されている。これらのトライアル係合部材（３０Ｄ，３０Ｕ）は鏡像関係にあり、真上から見た形状は同一である。
【００４３】
各トライアル係合部材のガイド溝３１は、図１３に示すように、平面視略正三角形状をしており、３つの角部（３２，３４，３６）のうち外側の１つの角部である一方角部３２が図１１に示すドア本体１０の幅方向中央線Ｃに対して当該ドア本体１０の側端部１１の一方角部１３と同一側となるように配設されている。そして、この一方角部３２には、固定側突出部（２０Ｄ，０Ｕ）の一方端部２１と摺接しながら相対回転する円弧形状に凹んだ第１の回転支持凹部３３が形成されている。
【００４４】
他の２つの角部（３４，３６）は、前記幅方向中央線Ｃに対して前記一方角部３２とは反対側になるように配設されており、当該角部（３４，３６）のうちドア本体１０の側端部１１の他方角部１２に近くに配設される角部（内方他方角部）３４には、前記固定側突出部（２０Ｄ，２０Ｕ）の他方端部２２と摺接しながら相対回転する円弧形状に凹んだ第２の回転支持凹部３５が形成されている。第２の回転支持凹部３５が形成された内方他方角部３４と他方の角部（外方他方角部）３６との間には、第１の大曲率ガイド面３７が形成されている。この第１の大曲率ガイド面３７は、前記トライアル係合部材（３０Ｄ，３０Ｕ）の第１の回転支持凹部３３が前記固定突出部材（２０Ｄ，２０Ｕ）の一方端部２１と摺接しながら相対回転する場合の当該固定突出部材２０の長さＬ３相当の半径ｂ（＝Ｌ３）を有する円弧形状に形成されている。
【００４５】
外方他方角部３６と前記一方角部３２（第１の回転支持凹部３３）との間には、第２の大曲率ガイド面３８が形成されている。この第２の大曲率ガイド面３８は、前記トライアル係合部材（３０Ｄ，３０Ｕ）の第２の回転支持凹形状ガイド面３５が前記固定突出部材（２０Ｄ，２０Ｕ）の他方端部２２と摺接しながら相対回転する場合の当該固定突出部材（２０Ｄ，２０Ｕ）の長さＬ３相当の半径ｂ（＝Ｌ３）を有する円弧形状に形成されている。前記第１の回転支持凹部３３と第２の回転支持凹部３５との間は、前記固定突出部材（３０Ｄ，３０Ｕ）の側面２６に向けて出っ張って（半径ｃの円弧形状）、当該側面２６と転がり接触する回転中心移行ガイド面３９が形成されている。
【００４６】
上記第１の実施形態に係るドア構造の場合の作用を以下に説明する。なお、各固定側突出部（２０Ｄ，２０Ｕ）は前記したように鏡像関係にあり、図６の矢視線Ｅから視た形状は同一であるので、当該同一形状のものを符号２０で表わして固定突出部材を説明する。同様に、各トライアル係合部材（３０Ｄ，３０Ｕ）も前記したように鏡像関係にあり、図の矢視線Ｅから視た形状は同一であるので、当該同一形状のものを符号３０で表わしてトライアル係合部材を説明する。なお、取付部材（２９，４１）は図示を省略する。また、上記したように、固定突出部材２０は、縦枠５の内側面６と直角な方向に対して所定角度α（例えば６７°）だけ傾斜しており、図１に示す閉状態のドア本体１０の幅方向中央線Ｃを上記角度αで横切っている。
【００４７】
ドア本体１０を図１に示す閉状態から９０°〜１１０°回転させて開状態位置まで変位させる場合には、図２，３に示すように、回転開始から初期のうち（少なくともドア本体１０の側端部１１の一方角部１３が縦枠５の内側面６に接近する間）は、ドア本体１０側のトライアル係合部材３０のガイド溝３１の第１の回転支持凹部３３と固定突出部材２０の一方端部２１とが摺接して相対回転する。すなわち、トライアル係合部材３０（したがって、ドア本体１０）は、固体突出部２０の一方端部２１の中心を回転中心線（Ｙ１）として回転する。
【００４８】
この際、固定突出部材２０の他方端部２２がトライアル係合部材３０のガイド溝３１の第１の大曲率ガイド面３７とすべり接触するので、当該トライアル係合部材３０は固定突出部材２０の長さ方向へ変位することが規制される。そのため、ドア本体１０が回転中にがたつくようなことはない。ここで、ドア本体１０が回転中にがたつかないので、円滑な回転が確保されるとともに、当該ドア本体１０の側端部１１と縦枠５の内側面６（戸当り７も含む）との間に大きな隙間ができないことになる。
【００４９】
このようにして、ドア本体１０は、回転初期のうちは固体突出部２０の一方端部２１の中心を回転中心線（Ｙ１）として回転することになるが、この際当該回転中心線（Ｙ１）はドア本体幅方向中央線（Ｃ）に対してドア本体１０の側端部１１の一方角部１３と同一側になるような位置にある。そのため、ドア本体１０の回転に伴う一方角部１３の軌跡は、回転中心が上記幅方向中央線（Ｃ）上に固定された従来例（図２５）よりは小さい円弧状となり、縦枠５の内側面６との隙間（Ｇ１）が狭くても干渉しない。また、ドア本体１０の側端部１１の他方角部１２は回転中心線（Ｙ１）の反対側にあり、ドア本体１０の回転に伴い縦枠５の内側面６から離れる方向に回転する。また、戸当り７は、上記したように、ドア本体１０の側端部１１の回転軌跡とは触れない範囲で当該軌跡に近い位置に設けてある。したがって、ドア本体１０の他方角部１２は、縦枠５および戸当り７とは干渉することはなく、ドア本体１０の側端部１１と戸当り７との間の隙間（Ｇ２）を小さくできる。このように、ドア本体１０と縦枠５（戸当り７も含む）との隙間（Ｇ１，Ｇ２）が人の指などが入りこめないほどに小さくできる。そのため、指詰め事故を防止できる。
【００５０】
さらに、図４に示すように、ドア本体１０を回転させると、トライアル係合部材３０のガイド溝３１の回転中心移行ガイド面３９と固体側突出部２０の側面２６とが転がり接触するようになり、当該トライアル係合部材３０（したがってドア本体１０）の回転中心線（Ｙ１２）は、第１の回転支持凹部３３から回転中心移行ガイド面３９に沿って第２の回転支持凹部３５へ滑らかに移ってゆく。この際、固定突出部材２０の一方端部２１はトライアル係合部材３０のガイド溝３１の第２の大曲率ガイド面３８とすべり接触するとともに、その他方端部２２はガイド溝３１の第１の大曲率ガイド面３７とすべり接触するので、当該トライアル係合部材３０は固定突出部材２０の長さ方向への変位を規制される。そのため、トライアル係合部材３０のガイド溝３１の回転中心移行ガイド面３９と固体側突出部２０の側面２６との転がり接触は順調に行われることになり、ドア本体１０）の回転中心線（Ｙ１２）の移行は円滑に行われる。そのため、ドア本体１０は、がたつくことはない。なお、この際、ドア本体１０の側端部１１と戸当り７との間の隙間（Ｇ３）に人の指が入るようなことがあったとしても、回転するドア本体１０の側端部１１によって外に押し出されるので指詰め事故は起こらない。
【００５１】
そして、ドア本体１０を更に回転させると、トライアル係合部材３０のガイド溝３１の第２の回転支持凹部３５が固体突出部２０の他方端部２２と摺接して相対回転するようになり、当該トライアル係合部材３０（したがってドア本体１０）は固体突出部２０の他方端部２２の中心を回転中心線（Ｙ２）として回転するようになる。この際、固定突出部材２０の一方端部２１はトライアル係合部材３０のガイド溝３１の第２の大曲率ガイド面３８とすべり接触するので、当該トライアル係合部材３０は固定突出部材２０の長さ方向への変位は規制されることになり、ドア本体１０はがたつかない。
【００５２】
ここで、ドア本体１０が図５に示す開位置に達した場合、その回転中心線〈Ｙ２〉は幅方向中央線（Ｃ）に対して当該ドア本体１０の側端部１１の一方角部１３と反対側になるような位置にあることになる。そのため、図１５に示す開位置に位置決めされたドア本体１０は、回転中心線が幅方向中央線（Ｃ）に対してドア本体１０の一方角部１３と同一側にあった閉状態よりも縦枠５の内側面６へ寄っていることになる。詳しくは、ドア本体１０は、第２の回転支持凹部３５と第１の回転支持凹部３３との間のドア本体幅方向の距離分だけ寄ることになる。そのため、ドア本体１０の側端部１１の一方角部１３と戸当り７との隙間を略零とすることができる。
【００５３】
なお、この第１の実施形態では、固定突出部材２０の縦枠５に対する傾斜角度αを６７°としたので、ドア本体１０は、図５に示す９０°回転位置から更に２０°ほど固定突出部材２０の一端部２１がトライアル係合部材３０の外側他方角部３６に達するまで回転する。上記固定突出部材２０の縦枠５に対する傾斜角度αを６７°以上とすることによって９０°〜１１０°の範囲の任意の角度まで回転させることができる。ドア本体１０を１１０°まで回転させても、当該ドア本体１０の即短部１１の一方角部１３と戸当り７との間の隙間は小さい。この際、ドア本体１０の側面と縦枠５の内側面６との間の隙間（Ｇ４）に人の指が入ったとしても、当該ドア本体１０は図５に示す９０°回転位置からあまり回転せず縦枠５との距離はあまり縮まらないので、指詰めするようなことはない。また、ドア本体１０の戻し回転（開位置から閉鎖状態位置への回転）するときに上記隙間（Ｇ４）に人の指が入ったとしても、当該ドア本体１０の側面は指を外方に押出すので指詰め事故は起こらない。
【００５４】
なお、上記した場合は、固定突出部材２０を縦枠５の内側面６に固定したが、図２１に示すように、当該縦枠５の内側面６とドア本体１０の側端部１１との間に蝶番５０を介装することによって、指詰め防止を図りつつドア本体１０を９０°回転可能、かつ、図２３に示すように非常事（例えば特別大型の荷物を出し入れする場合等）の場合は当該ドア本体１０を１８０°回転させることができる。
【００５５】
ここで、蝶番５０は、縦枠５の内側面６に固定される固定側板材５１と、当該固定側板材５１とヒンジ部５３を介して１８０°回転可能に接続された移動側板材５２とから構成されている。この蝶番５０の移動側板材５２に上記した各固定突出部材（２０Ｄ，２０Ｕ）を固設する。このように構成すれば、上記した場合と同様に、豆２１および豆２２に示すようにドア本体１０と縦枠５との隙間を小さくした状態で円滑に９０°回転させることができるとともに、豆２３に示すように非常時には当該ドア本体１０を１８０°回転させることができる。
【００５６】
上記第１の実施形態に係るドア構造によれば、回転突出部材２０およびトライアル係合部材３０はドア本体１０に比べれば小さくしかも目立たない箇所に設けられるので、外観の美観性を満たすことができる。また、両者（２０，３０）は協働してドア本体１０の回転中心線を変えて当該ドア本体１０と戸当り７付きの縦枠５との間の隙間を小さくしつつ円滑な回転を約束する。したがって、外観の美観性を満たしつつ、そしてドア本体１０の円滑な９０°回転を確保しつつ指詰め防止を図ることができる。
【００５７】
なお、上記第１の実施形態では、固定突出部材（２０Ｕ，２０Ｄ）はドア本体１０の回転中心線（Ｙ１等）に対応する上下端部位置に対向するように建造物（縦枠５）に固設するとともに、トライアル係合部材（３０Ｕ，３０Ｄ）はドア本体１０の上下端部（上側端部１５，下側端部１６）位置に固設したが、これとは逆に配設してもよい。すなわち、各固定突出部材（２０Ｕ，２０Ｄ）をドア本体１０の上下端部（上側端部１５，下側端部１６）側に固設するとともにトライアル係合部材（３０Ｕ，３０Ｄ）を建造物（縦枠５）側に固設してもよい。
【００５８】
（第２の実施の形態）
【００５９】
第２の実施の形態に係る発明は、図１４〜図２０に示される。
【００６０】
本発明に係るドア構造は、図１８に示すように、建造物内の壁２Ｐの開口部３Ｐに９０°回転可能にドア本体１０Ｐが設けられたドア構造であって、第１の実施形態と同様構成の一対の固定突出部材２０と一対のトライアル係合部材３０とを備え、当該ドア本体１０Ｐの回転中心線（Ｙ１等）を滑らかに変位させることによって円滑な回転を図りつつ壁２Ｐ側とドア本体１０Ｐとの隙間を小さくして指詰め防止達成しようとするものである。
【００６１】
壁２Ｐは、図１８に示すように、建造物（例えば、公衆トイレやデパートなど）内の一方空間Ｓ１と他方空間Ｓ２とを仕切るものである。この壁２Ｐには、一方空間Ｓ１と他方空間Ｓ２とを連絡する開口部３Ｐが形成されている。なお、壁２Ｐの開口部３Ｐの内側面６Ｐは、外方へ向けて円弧状に凹んだ形状とされている。
【００６２】
ドア本体１０Ｐは、壁２Ｐの開口部３Ｐを開閉するための部材である。ドア本体１０Ｐは、図１８に示す閉状態時に、その側端部１１Ｐが壁２Ｐの内側面６Ｐと対向する。このドア本体１０Ｐの側端部１１Ｐは、壁２Ｐの内側面６Ｐへ出っ張る円弧形状とされている。かかる構成としたのは、ドア本体１０Ｐと壁２Ｐの内側面６Ｐとの隙間から中（他方空間Ｓ２）が見えないようにするためである。なお、ドア本体１０Ｐの側端部１１Ｐは、閉状態時に一方空間Ｓ１と面する一方角部１３Ｐと他方空間Ｓ２に面する他方角部１２Ｐとを有している。
【００６３】
上記ドア本体１０Ｐは、第１の実施形態で説明した一対の固定突出部材２０と一対のトライアル係合部材３０との協働によって、その側端部１１Ｐよりも内側の回転中心線（Ｙ１等）を中心として９０°回転可能に構成されている。なお、上記壁２Ｐとドア本体１０Ｐとは、第１の実施形態で説明した壁２およびドア本体１０と同様構成であるので、その説明は簡略化または省略する。また、一対の固定突出部材２０と一対のトライアル係合部材３０との形態や配設状態も第１の実施形態と同様であるので、その説明は簡略化または省略する。
【００６４】
この第２の実施形態に係る固定突出部材２０は、壁２Ｐの開口部３Ｐの内側面６Ｐと直角に伸延するように設けられている。なお、第１の実施形態の場合は、図８（Ｂ）および図１１（Ｂ）に示すように、両固定突出部材２０は、縦枠５の内側面６と直角の方向に対して所定角度α（＝６７°）だけ傾くように設けられている。
【００６５】
また、この第２の実施形態では、固定突出部材２０は、図２０に示すように、長さ方向および幅方向に傾斜した形状とされている。すなわち、固定突出部材２０は、その天地面２５が一方端部２１から他方端部２２へ行くにつれて低くなるように傾斜するとともに、当該天地面２５は幅方向にも傾斜した形状とされている。また、上記固定突出部材２０に合わせてトライアル係合部材３０の天地面４５も図１９に示すように傾斜されている。かかる構成によって、ドア本体１０Ｐは、自らの重みで自動的に（人手を介することなく）開位置まで回転して当該開位置に位置決めされる。なお、第１の実施形態のように固定突出部材２０の天地面４５を長さ方向および幅方向に傾斜させずに水平面とし、また、トライアル係合部材３０の天地面４５を傾斜させずに水平面としてもよい。この場合は、ドア本体１０Ｐは自動的へ回転して開位置に位置決めされない。
【００６６】
このドア本体１０を図１４に示す開状態から９０°回転させて、図１８で示す閉状態位置まで変位させれば壁２Ｐの開口部３Ｐは閉じて一方空間Ｓ１と他方空間Ｓ２とは遮断される。反対に、ドア本体１０を閉状態位置から開位置まで回転すれば、壁２Ｐの開口部３Ｐは開放されて一方空間Ｓ１と他方空間Ｓ２とは連通される。
【００６７】
この第２の実施形態二係るドア構造の場合の作用を以下に説明する。なお、上記したように、固定突出部材２０は、壁２Ｐの内側面６Ｐと直角な方向に伸延しており、図１８に示す閉状態のドア本体１０Ｐの幅方向中央線Ｃを直角に横切っている。
【００６８】
ドア本体１０Ｐを図１４に示す開位置から９０°回転させて図１８に示す閉状態位置まで変位させる場合には、図１４および図１５に示す回転させ始めはトライアル係合部材３０のガイド溝３１の第２の回転支持凹部３５が固体突出部２０の他方端部２２と摺接して相対回転する。すなわち、トライアル係合部材３０（したがってドア本体１０Ｐ）は固体突出部２０の他方端部２２の中心を回転中心線（Ｙ２）として回転する。この際、固定突出部材２０の一方端部２１はトライアル係合部材３０のガイド溝３１の第２の大曲率ガイド面３８とすべり接触するので、当該トライアル係合部材３０は固定突出部材２０の長さ方向への変位は規制されることになり、ドア本体１０Ｐはがたつかない。
【００６９】
ここで、上記回転中心線〈Ｙ２〉は幅方向中央線（Ｃ）に対して当該ドア本体１０Ｐの側端部１１Ｐの一方角部１３Ｐと反対側になるような位置にあることになる。そのため、ドア本体１０は、回転中心線が幅方向中央線（Ｃ）に対してドア本体１０Ｐの一方角部１３Ｐと同一側にある閉状態よりも壁２Ｐの開口部３Ｐの内側面６Ｐへ寄っていることになる。詳しくは、ドア本体１０Ｐは、第２の回転支持凹部３５と第１の回転支持凹部３３との間のドア本体幅方向の距離分だけ寄ることになる。そのため、ドア本体１０Ｐと壁２Ｐの開口部３Ｐの内側面６Ｐとの隙間（Ｇ５）を小さくできる。そのため、かかる隙間（Ｇ５）に人の指は入らず指詰め事故は起こらない。
【００７０】
さらに、ドア本体１０Ｐを回転させると、図１６に示すように、トライアル係合部材３０のガイド溝３１の回転中心移行ガイド面３９と固体側突出部２０の側面２６とが転がり接触するようになり、当該トライアル係合部材３０（したがってドア本体１０Ｐ）の回転中心線（Ｙ１２）は、第２の回転支持凹部３５から回転中心移行ガイド面３９に沿って第１の回転支持凹部３３へ滑らかに移ってゆく。この際、固定突出部材２０の一方端部２１はトライアル係合部材３０のガイド溝３１の第２の大曲率ガイド面３８とすべり接触するとともに、その他方端部２２はガイド溝３１の第１の大曲率ガイド面３７とすべり接触するので、当該トライアル係合部材３０は固定突出部材２０の長さ方向への変位を規制される。そのため、トライアル係合部材３０のガイド溝３１の回転中心移行ガイド面３９と固体側突出部２０の側面との転がり接触は順調に行われることになり、ドア本体１０Ｐの回転中心線（Ｙ１２）の移行は円滑に行われる。そのため、ドア本体１０Ｐは、がたつくことはない。なお、この際、ドア本体１０Ｐの側端部１１の一方角部１３Ｐと壁２Ｐの開口部３Ｐの内側面６Ｐとの間（Ｇ６）に人の指が入るようなことがあったとしても、回転する当該ドア本体１０によって外に押し出されるので指詰め事故は起こらない。
【００７１】
そして、ドア本体１０を更に回転させると、トライアル係合部材３０のガイド溝３１の第１の回転支持凹部３３が固体突出部２０の一方端部２１と摺接して相対回転するようになり、当該トライアル係合部材３０（したがってドア本体１０Ｐ）は固体突出部２０の一方端部２１の中心を回転中心線（Ｙ１）として回転して図１８に示す閉状態位置に位置決めされる。この際、ドア本体１０Ｐの一方角部１３Ｐは壁２Ｐの開口部３Ｐの内側面６Ｐに近づくが、上記回転中心線（Ｙ１）はドア本体幅方向中央線（Ｃ）に対して当該ドア本体１０Ｐの一方角部１３Ｐと同一側であるので、当該一方角部１３Ｐの回転軌跡は小さい円弧状となり、壁２Ｐの内側面部６Ｐとの隙間（Ｇ７）が狭くなる。したがって、ドア本体１０Ｐと壁２Ｐとの隙間に人の指は入らないので、指詰め事故は起こらない。
【００７２】
上記第２の実施形態に係るドア構造によれば、回転突出部材２０およびトライアル係合部材３０はドア本体１０Ｐに比べれば小さくしかも目立たない箇所に設けられるので、外観の美観性を満たすことができる。また、両者（２０，３０）は協働してドア本体１０Ｐの回転中心線を変えて当該ドア本体１０Ｐと壁２の内側面６Ｐとの間の隙間を小さくしつつ円滑な回転を約束する。したがって、外観の美観性を満たしつつ、そしてドア本体１０Ｐの円滑な９０°回転を確保しつつ指詰め防止を図ることができる。
【００７３】
なお、上記第２の実施形態でも、固定突出部材２０はドア本体１０Ｐの回転中心線（Ｙ１等）に対応する上下端部位置に対向するように建造物（縦枠５）に固設するとともに、トライアル係合部材３０はドア本体１０Ｐの上下端部（上側端部１５，下側端部１６）位置に固設したが、これとは逆に配設してもよい。すなわち、各固定突出部材２０をドア本体１０Ｐの上下端部側に固設するとともにトライアル係合部材３０を建造物（縦枠５）側に固設してもよい。
【００７４】
なお、上記第１および第２の実施形態において、上記各固定突出部材（下方および上方の固定突出部材）２０を補強するための所定個数の補強部材を設けてもよい。
【００７５】
下方の補強部材６０は、図２４に示すように、全体が中空円筒状とされており、その基端面６１から自由端面６２までの全長Ｌ５が上記各固定突出部材２０よりも短くて当該基端面６１が上記建造物に固定されるとともに当該各固定突出部材２０の根元部分と接触して被嵌する構成とされている。この補強部材６０は、建造物の床面９に取付部材６９を介して固定されている。なお、上方の固定突出部材２０用の補強部材（６０）は図示を省略するが、上記床面９の代わりに図６に示す上枠８に取付部材６９を介して固定されている他は下方の補強部材６０と同様構成である。
【００７６】
上記補強部材６０に対応して、図２５に示すように、トライアル係合部材３０の端面９１が当該補強部材６０の自由端面６２と摺接するように形成されている。なお、図２５において、６３はカバーであり、トライアル係合部材３０を図６の取付部材４１に固定するための役目を果たすものである。
【００７７】
このように構成した場合、上記第１又は第２の実施形態と同様の作用・効果を奏する他、ドア本体１０が回転する際（すなわち、各トライアル係合部材３０のガイド溝３１と各固定側突出部材２０とが摺動する際）、当該各固定側突出部材２０にはドア本体１０の自重等によって各種荷重（ねじり荷重、曲げ荷重、垂直荷重）が作用するが、当該各固定側突出部材２０は、その根元部分を補強部材６０によってしっかりと補強されているので、過大なねじり荷重・曲げ荷重が作用しても十分に抵抗して塑性変形や破断等が起こさない。
【００７８】
また、垂直荷重に対しては、各補強部材６０の自由端面６２と当該面６２に接触している各トライアル係合部材３０の端面８１とが協働して抵抗する。このように、各固定側突出部材２０の強度が補強部材６０によって増大されるので、一段とドア構造の信頼性を高めることができる。また、ドア本体１０回転時に、各補強部材６０の自由端面６２と各トライアル係合部材３０の端面８１とが摺接するので、回転軸線Ｙが鉛直方向からずれるのを効果的に抑えることができる。したがって、一段と円滑にドア本体１０を回転させることができる。
【００７９】
なお、上記各補強部材６０を次のように変形してもよい。
【００８０】
すなわち、各補強部材６０の自由端面６２を、図３３に示すように、その外周面６３に沿って螺旋状の傾斜面６４とする。そして、これに対応して、上記各トライアル係合部材３０の端面８１を上記各補強部材６０の自由端面６２に対応した螺旋状傾斜面８２とする。
【００８１】
このように補強部材６０を変形した場合、上記と同様な作用・効果を奏する他、ドア本体１０の自重が各トライアル係合部材３０に作用すると、当該各トライアル係合部材３０は各補強部材６０の自由端面６２（傾斜面６４）に沿って摺動してドア本体１０ごと下方へ変位する。これにより、例えばドア本体１０を閉方向へ回動操作した後に当該操作を止めてドア本体１０から手を離すと、人が操作することなく自動的にドア本体１０は開き位置まで開方向へ回転する。
【００８２】
さらに、上側のトライアル係合部材３０の水平方向の位置を調節可能な位置調節手段７０を設けてもよい。
【００８３】
ここで、上記第１および第２の実施形態では、固定突出部材２０は建造物の上枠８に、そしてトライアル係合部材３０はドア本体１０の上側端部１５にそれぞれ設けられていたが、反対に設けられていてもよいので、以下の例では、固定突出部材２０はドア本体１０の上側端部１５に、そしてトライアル係合部材３０は建造物の上枠８に設けられているとした場合について説明する。
【００８４】
位置調節手段７０は、図２８に示すように、第１スライド板と第２スライド板とから構成されている。
【００８５】
第１スライド板７１は、上方のトライアル係合部材３０を上枠８に水平方向に位置変更可能に固定する部材で、当該上枠８にその長手方向（図２８中矢印Ｅ，Ｆ方向）に移動可能で止めねじ（図示省略）で固定可能に設けられている。この第１スライド板７１の図２８中右端面は傾斜面７２とされている。
【００８６】
第２スライド板７３は、上記上枠８にその長手方向と直角方向（図２８中矢印Ｇ，Ｈ方向）に移動可能で止めねじ（図示省略）で固定可能に形成されている。この第２スライド板７３の図中左端面は上記第１スライド板７１の傾斜面７２と摺接する傾斜面７４とされている。したがって、第１，第２スライド板（７１，７３）の固定を少し緩めて、当該第２スライド板７３を矢印ＧＨ方向）に適宜移動すれば、その移動量に応じて第１スライド板７１も矢印ＥＦ方向に移動する。このような移動操作を適宜行えば。上方のトライアル係合部材３０の水平方向位置を調節できる。
【００８７】
かかる構成にすれば、経年変化等によってドア本体１０の回転中心線が鉛直線方向からずれてしまって例えば当該ドア本体１０の下端部が床面９とするなどして回転させ難くなった場合でも、回転中心線（Ｙ）の方向を簡単に調節して上記不具合を解消することができる。
【図面の簡単な説明】
【００８８】
【図１】第１の実施の形態に係るドア構造の動作を説明するための図（１）である。
【図２】第１の実施の形態に係るドア構造の動作を説明するための図（２）である。
【図３】第１の実施の形態に係るドア構造の動作を説明するための図（３）である。
【図４】第１の実施の形態に係るドア構造の動作を説明するための図（４）である。
【図５】第１の実施の形態に係るドア構造の動作を説明するための図（５）である。
【図６】本ドア構造のドア本体の枠部に対する取付け状態を説明するための図である。
【図７】ドア本体の回転を説明するための平面図である。
【図８】下の固定突出部材を説明するための図で、（Ａ）は正面図、（Ｂ）は平面図である。
【図９】下のトライアル係合部材を説明するための図で、（Ａ）は縦断面図、（Ｂ）は底面図である。
【図１０】上下の固定突出部材の形状を説明するための図で、（Ａ）は正面図、（Ｂ）は側面図である。
【図１１】上の固定突出部材を説明するための図で、（Ａ）は正面図、（Ｂ）は底面図である。
【図１２】上のトライアル係合部材を説明するための図で、（Ａ）は縦断面図、（Ｂ）は平面図である。
【図１３】トライアル係合部材のガイド面を説明するための図である。
【図１４】第２の実施の形態に係るドア構造の動作を説明するための図（１）である。
【図１５】第２の実施の形態に係るドア構造の動作を説明するための図（２）である。
【図１６】第２の実施の形態に係るドア構造の動作を説明するための図（３）である。
【図１７】第２の実施の形態に係るドア構造の動作を説明するための図（４）である。
【図１８】第２の実施の形態に係るドア構造の動作を説明するための図（５）である。
【図１９】トライアル係合部材を説明するための図で、（Ａ）は正面図、（Ｂ）縦断面図である。
【図２０】固定突出部材を説明するための図で、（Ａ）は正面図、（Ｂ）平面図、（Ｃ）は側面図である。
【図２１】第１の実施の形態の変形例を説明するための図（１）である。
【図２２】第１の実施の形態の変形例を説明するための図（２）である。
【図２３】第１の実施の形態の変形例を説明するための図（３）である。
【図２４】補強部材を説明するための図である。
【図２５】補強部材とトライアル係合部材との位置関係を説明するための図である。
【図２６】補強部材の変形例を説明するための図である。
【図２７】図２６に示す補強部材とトライアル係合部材との位置関係を説明するための図である。
【図２８】位置調節手段を説明するための図である。
【図２９】位置調節手段の機能を説明するための図である。
【図３０】位置調節手段によって調節されるドア本体の全体を示す図である。
【図３１】従来のドア構造におけるドア本体の回転を説明するための図である。
【図３２】従来のドア構造における不具合を説明するための図（１）である。
【図３３】従来のドア構造における不具合を説明するための図（２）である。
【符号の説明】
【００８９】
２    壁
４    枠部
５    縦枠
６    縦枠の内側面
７    戸当り
１０    ドア本体
１１    側端部
１２    他方角部
１３    一方角部
２０    固定突出部材
２０Ｄ  下の固定突出部材  
２０Ｕ  上の固定突出部材
３０    トライアル係合部材
３０Ｄ  下のトライアル係合部材
３０Ｕ  上のトライアル係合部材
３１    ガイド溝
３２    一方角部
３３    第１の回転支持凹部
３４    内方他方角部
３５    第２の回転支持凹部
３６    外方他方角部
３７    第１の大曲率ガイド面
３８    第２の大曲率ガイド面
３９    回転中心移行ガイド面
５０    蝶番
５１    固定側板材
５２    移動側板材
５３    ヒンジ部
Ｙ１，Ｙ２，Ｙ１２    回転中心線
Ｃ      ドア本体幅方向中央線
【図１】
0004277932.tif 000002
【図２】
0004277932.tif 000003
【図３】
0004277932.tif 000004
【図４】
0004277932.tif 000005
【図５】
0004277932.tif 000006
【図６】
0004277932.tif 000007
【図７】
0004277932.tif 000008
【図８】
0004277932.tif 000009
【図９】
0004277932.tif 000010
【図１０】
0004277932.tif 000011
【図１１】
0004277932.tif 000012
【図１２】
0004277932.tif 000013
【図１３】
0004277932.tif 000014
【図１４】
0004277932.tif 000015
【図１５】
0004277932.tif 000016
【図１６】
0004277932.tif 000017
【図１７】
0004277932.tif 000018
【図１８】
0004277932.tif 000019
【図１９】
0004277932.tif 000020
【図２０】
0004277932.tif 000021
【図２１】
0004277932.tif 000022
【図２２】
0004277932.tif 000023
【図２３】
0004277932.tif 000024
【図２４】
0004277932.tif 000025
【図２５】
0004277932.tif 000026
【図２６】
0004277932.tif 000027
【図２７】
0004277932.tif 000028
【図２８】
0004277932.tif 000029
【図２９】
0004277932.tif 000030
【図３０】
0004277932.tif 000031
【図３１】
0004277932.tif 000032
【図３２】
0004277932.tif 000033
【図３３】
0004277932.tif 000034